(57)【要約】      （修正有）【課題】ファイルに設ける見出しを簡単な構造で形成し、この見出しを必要に応じてファイル内に収納したり、ファイルの外方へ表示可能にして、見出し自体の意匠性や利便性を向上し、且つ製造コストも安価にすることができるようにした見出し機能付きファイルを提供する。【解決手段】折り曲げ可能なシート材２を折り合わせてなる側縁の一部を結合して残余の開放部から書類等の収納物を収納可能にしたファイル１において、ファイルの側縁の近傍に非切開部１１を残した状態で、非切開部からファイルの面内に所定形状の線形を切開してなる見出し部９ａを形成し、見出し部を起立して非切開部で折り返すことによって、見出し部をファイルの側縁から外方へ突出させるようにした。【選択図】図２
0003188159.tif 000002
【実用新案登録請求の範囲】
【請求項１】
折り曲げ可能なシート材を折り合わせてなる側縁の一部を結合して残余の開放部から書類等の収納物を収納可能にしたファイルにおいて、ファイルの側縁の近傍に非切開部を残した状態で、非切開部からファイルの面内に所定形状の線形を切開してなる見出し部を形成し、見出し部を起立して非切開部で折り返すことによって、見出し部をファイルの側縁から外方へ突出させるようにしたことを特徴とする見出し機能付きファイル。
【請求項２】
折り曲げ可能なシート材を折り合わせてなる側縁の一部を結合して残余の開放部から書類等の収納物を収納可能にしたファイルにおいて、ファイルの側縁の近傍に非切開部を残した状態で、非切開部からファイルの面内に所定形状の線形を切開してなる見出し部を形成すると共に、非切開部の近傍にファイルの側縁側に突出してなる係止片を形成し、見出し部を起立して非切開部で折り返した際、ファイルの面内方向へ向く係止片を見出し部を形成した側のシート面の縁部に引っ掛けた状態にして、見出し部をファイルの側縁から外方へ突出させるようにしたことを特徴とする見出し機能付きファイル。
【請求項３】
折り曲げ可能なシート材を折り合わせてなる側縁の一部を結合して残余の開放部から書類等の収納物を収納可能にしたファイルにおいて、ファイルの側縁の近傍に非切開部を残した状態で、非切開部からファイルの面内に所定形状の線形を切開してなる見出し部を形成すると共に、非切開部の近傍にファイルの側縁側に突出してなる係止片を形成し、見出し部を起立して非切開部で折り返した際、ファイルの面内方向へ向く係止片を対面する他方のシート面の縁部に引っ掛けた状態にして、見出し部をファイルの側縁から外方へ突出させるようにしたことを特徴とする見出し機能付きファイル。
【請求項４】
非切開部からファイルの面内に所定の線形を切開してなる見出し部を形成する際、切開すべき線形の一部に微小の切開しない接続部を残した状態で切開することにより、見出し部をファイルの面内に固定した状態にする一方、接続部を切り離すことによって、見出し部を折り返し可能にしたことを特徴とする請求項１、２又は３記載の見出し機能付きファイル。
【請求項５】
ファイルの側縁に複数の見出し部を並べて形成すると共に、各見出し部を異なる形状や異なる色彩によって区別ができるようにしたことを特徴とする請求項１、２、３又は４記載の見出し機能付きファイル。
【請求項６】
見出し部が、鉛筆、ボールペンその他の筆記具によって文字等を直接記入することができるように形成されていることを特徴とする請求項１、２、３、４又は５記載の見出し機能付きファイル。
【請求項７】
見出し部が、野菜、果実その他の食料品の形状に形成され、又は、見出し部に野菜、果実その他の食料品の写真又は図形が表されてなり、食材ごとに料理のレシピを一目で判別できるようにしたことを特徴とする請求項１、２、３、４、５又は６記載の見出し機能付きファイル。
【請求項８】
見出し部に、漫画やアニメーションのキャラクターが表されてなることを特徴とする請求項１、２、３、４、５又は６記載の見出し機能付きファイル。
【請求項９】
見出し部に、仕事の期限や試験日又は当該期限や試験日までの残りの期間が表されてなることを特徴とする請求項１、２、３、４、５又は６記載の見出し機能付きファイル。
【考案の詳細な説明】
【技術分野】
【０００１】
本考案は、周知のクリアファイル等のようにパンフレットや書類等を挟み込んだ状態に収納するファイルに関するものであり、特に収納すべき書類等の内容に応じた見出しを設けることによって、収納した書類等の内容を識別することができる見出し機能付きファイルに関する。
【背景技術】
【０００２】
近年において、透明樹脂フィルム等によって構成されているクリアファイル等のように、種々の書類等を挟み込んだ状態に収納するファイルが周知であり、広く普及している。このファイルは、内部に書類等を収納した状態で、例えば、棚や机上等に立てたり、横積みすることによって保管をし、収納した書類等が必要なときには、ファイルごとに取り出して、ファイル内から書類等を引き出すというのが通常の使用法とされている。
【０００３】
ところが、上記のような使用法において、多数のファイルを保管している場合、その保管状態のままでは内部が見えないため、各ファイルに収納した書類等の内容を個々に判別することが困難になる。このため、各ファイルを個別に取り出すことによって、収納した書類等の中身を確認するという面倒な作業が必要になり、場合によっては、探している書類を見出せないという不都合も生じる。
【０００４】
このため、従来から、周知の紙製のラベル等をファイルの縁に貼り付け、そのラベルに、書類等の内容を筆記具で書き込むことを行っていたが、このようなラベルは、ファイルとは別に用意するものであるため、その用意に手間と費用を必要とする。また、ファイルにラベルを貼り付けた後に不要となった場合には、取り剥がしが困難であり、剥がした跡が汚く残るおそれもある。
【０００５】
そこで、このような見出し機能を有するファイルの従来技術について、下記の特許文献を参照する。この特許文献に記載されている「ファイル見出し構造」は、透明な合成樹脂を使用したシート材を折曲して形成されるホルダー本体またはクリアシートに、別体で形成した見出し部材を取り付けたものである。この見出し部材は、上記のホルダー本体またはクリアシートに切開した見出し保持部に見出し部材を差し込んだ状態でスライドすることによって、見出し部材をファイルの側縁から出没可能にしたものである。
【０００６】
ところが、上記の構造は、ファイルとは別体の見出し部材を必要とするだけではなく、多くの切開箇所と切開作業を必要とし、さらに見出し部材を見出し保持部の下部に差し込む作業が必要であり、多数の製作工程を必要とするため、製作コストが高騰するおそれがある。
【０００７】
なお、従来のファイルには、ファイルの側縁に突出形状の見出し片を形成したものもあるが、意匠性や娯楽性に欠けるものであり、製造工程において、突出形状の見出し片の周辺に無駄な部分が生じるため、材料の使用効率の点でも改善すべき余地があった。また、近年においては、ファイルの面に、種々のアニメーションや、その他の画像や写真等を印刷するというように、彩色を施すことによってファイルの娯楽性または意匠性を高めるようにしたものも存在する。従って、見出し自体のデザインに関しても、意匠性や娯楽性を向上するものが案出可能であるなら、ファイルの利便性や用途がさらに拡大するものとなる。
【先行技術文献】
【特許文献】
【０００８】
【特許文献１】特開２００１−２７７７７３号公報
【考案の概要】
【考案が解決しようとする課題】
【０００９】
本考案は上記のような事情に鑑みてなされたものであり、ファイルに設ける見出しを簡単な構造で形成し、この見出しを必要に応じてファイル内に収納したり、ファイルの外方へ表示可能にして、見出し自体の意匠性や利便性を向上し、且つ製造コストも安価にすることができるようにした見出し機能付きファイルを提供することを目的とする。
【課題を解決するための手段】
【００１０】
上記の目的を達成するために、本考案における請求項１記載の見出し機能付きファイルは、折り曲げ可能なシート材を折り合わせてなる側縁の一部を結合して残余の開放部から書類等の収納物を収納可能にしたファイルにおいて、ファイルの側縁の近傍に非切開部を残した状態で、非切開部からファイルの面内に所定形状の線形を切開してなる見出し部を形成し、見出し部を起立して非切開部で折り返すことによって、見出し部をファイルの側縁から外方へ突出させるようにしたことを特徴とする。
【００１１】
また、本考案における請求項２記載の見出し機能付きファイルは、折り曲げ可能なシート材を折り合わせてなる側縁の一部を結合して残余の開放部から書類等の収納物を収納可能にしたファイルにおいて、ファイルの側縁の近傍に非切開部を残した状態で、非切開部からファイルの面内に所定形状の線形を切開してなる見出し部を形成すると共に、非切開部の近傍にファイルの側縁側に突出してなる係止片を形成し、見出し部を起立して非切開部で折り返した際、ファイルの面内方向へ向く係止片を見出し部を形成した側のシート面の縁部に引っ掛けた状態にして、見出し部をファイルの側縁から外方へ突出させるようにしたことを特徴とする。
【００１２】
また、本考案における請求項３記載の見出し機能付きファイルは、折り曲げ可能なシート材を折り合わせてなる側縁の一部を結合して残余の開放部から書類等の収納物を収納可能にしたファイルにおいて、ファイルの側縁の近傍に非切開部を残した状態で、非切開部からファイルの面内に所定形状の線形を切開してなる見出し部を形成すると共に、非切開部の近傍にファイルの側縁側に突出してなる係止片を形成し、見出し部を起立して非切開部で折り返した際、ファイルの面内方向へ向く係止片を対面する他方のシート面の縁部に引っ掛けた状態にして、見出し部をファイルの側縁から外方へ突出させるようにしたことを特徴とする。
また、本考案における請求項４記載の見出し機能付きファイルは、請求項１、２又は３記載の見出し機能付きファイルにおいて、非切開部からファイルの面内に所定の線形を切開してなる見出し部を形成する際、切開すべき線形の一部に微小の切開しない接続部を残した状態で切開することにより、見出し部をファイルの面内に固定した状態にする一方、接続部を切り離すことによって、見出し部を折り返し可能にしたことを特徴とする。
【００１３】
また、本考案における請求項５記載の見出し機能付きファイルは、請求項１、２、３又は４記載の見出し機能付きファイルにおいて、ファイルの側縁に複数の見出し部を並べて形成すると共に、各見出し部を異なる形状や異なる色彩によって区別ができるようにしたことを特徴とする。
【００１４】
また、本考案における請求項６記載の見出し機能付きファイルは、請求項１、２、３、４又は５記載の見出し機能付きファイルにおいて、見出し部が、鉛筆、ボールペンその他の筆記具によって文字等を直接記入することができるように形成されていることを特徴とする。
【００１５】
また、本考案における請求項７記載の見出し機能付きファイルは、請求項１、２、３、４、５又は６記載の見出し機能付きファイルにおいて、見出し部が、野菜、果実その他の食料品の形状に形成され、又は、見出し部に野菜、果実その他の食料品の写真又は図形が表されてなり、食材ごとに料理のレシピを一目で判別できるようにしたことを特徴とする。
【００１６】
また、本考案における請求項８記載の見出し機能付きファイルは、請求項１、２、３、４、５又は６記載の見出し機能付きファイルにおいて、見出し部に、漫画やアニメーションのキャラクターが表されてなることを特徴とする。
【００１７】
さらに、本考案における請求項９記載の見出し機能付きファイルは、請求項１、２、３、４、５又は６記載の見出し機能付きファイルにおいて、見出し部に、仕事の期限や試験日又は当該期限や試験日までの残りの期間が表されてなることを特徴とする。
【考案の効果】
【００１８】
本考案の見出し機能付きファイルによれば、ファイルの面内に切開形成した見出し部を必要に応じて折り返すことにより、見出し部をファイルの外方へ突出させることが可能である。このような見出し部は、ファイルの外形と共に面内を型による打ち抜き等によって切開することができるため、使用材料及び製作費共に、低コストで作成することが可能となる。
【００１９】
また、ファイルの側縁に異なる形状や異なる色彩によって区別することができる複数の見出し部を形成し、ファイルに収納する書類の進捗状況や緊急度合いに応じた見出し部を外方へ表示することにより、ファイルに収納した書類の進捗状況や緊急度合いを一目で認識することが可能となる。
【００２０】
さらに、上記のファイルに設けた見出し部の形状や彩色による画像を種々の形態に形成することにより、娯楽性やデザイン性を多種多様に楽しむことができ、非常に広範囲な用途や利便性に対応したファイルを構成することが可能となる。
【図面の簡単な説明】
【００２１】
【図１】本考案による見出し機能付きファイルの実施例１及び実施例２に関する展開図である。
【図２】本考案による見出し機能付きファイルの実施例１及び実施例２に関する平面図であり、(ａ)はファイルの片面を一部折曲した状態を示し、(ｂ)はその片面を閉じた状態を示す。
【図３】（ａ）及び(ｂ)は、本考案による見出し機能付きファイルの実施例１に関する見出し部を示す図である。
【図４】（ａ）〜(ｄ)は、本考案による見出し機能付きファイルの実施例２に関する見出し部を示す図である。
【図５】本考案による見出し機能付きファイルの実施例２に関する見出し部の係止片をファイルの縁部に引っ掛ける際における種々の形態を示す図であり、（ａ）及び(ｂ)はファイルの全体図であり、(ｃ)及び(ｄ)は見出し部を示す部分図である。
【図６】（ａ）及び(ｂ)は、本考案による見出し機能付きファイルの実施例２に関する見出し部を複数設けた状態を示す平面図である。
【図７】（ａ）〜(ｃ)は、本考案による見出し機能付きファイルの実施例２において、レシピに関する見出し部を示す平面図である。
【図８】（ａ）〜(ｃ)は、本考案による見出し機能付きファイルの実施例２において、各種形状の見出し部を示す平面図である。
【図９】（ａ）〜(ｅ)は、本考案による見出し機能付きファイルの実施例２において、樹木を表した見出し部の使用形態を示す平面図である。
【図１０】（ａ）〜(ｄ)は、本考案による見出し機能付きファイルの実施例２において、処理すべき仕事の期限又は期限までの残りの期間を表示する見出し部の使用形態を示す平面図である。
【図１１】（ａ）〜(ｆ)は、本考案による見出し機能付きファイルの実施例３に関する見出し部を示す平面図である。
【考案を実施するための形態】
【００２２】
本考案の実施形態として、後述する実施例１、実施例２及び実施例３に共通する構成としては、図１又は図２に示すように、ファイル１の使用材料として折り曲げ可能なシート材２を折り合わせてなる側縁の一部を結合部３で結合し、残余の開放部８から書類等の収納物を収納可能にしたファイル１を構成したことにある。この折り曲げ可能なシート材２としては、ポリプロピレン等の屈曲性を有する透明又は半透明の樹脂フィルムを使用するのが望ましい。
【００２３】
ただし、本考案のファイル１は、他の材料として、折り曲げ可能な紙製や布製等のシート材２から形成することも可能である。また、上記の透明又は半透明の樹脂フィルムの他に、着色した樹脂フィルムを使用したり、樹脂フィルムの面に何らかの絵画やキャラクター等の画像を描くようにしてもよい。
【００２４】
いずれにしても、図１に示すように、シート材２は、左右のシート面２ａ、２ｂの中央に設けられた折曲線６で折り曲げ可能に形成された展開形状を有し、後述する形状の見出し部９ａ、９ｂ、９ｃを含めて打ち抜き型等で切開することが可能である。また、本実施例では、一般的にＡ４サイズ用紙等のような書類等の収納物が長方形であることを考慮して、シート材２を折曲線６で折り合わせたファイル１の形状が、図２(ｂ)に示すような長方形となるように形成している。ただし、このファイル１の形状は、円形等の曲線を用いた形状や、植物や動物やキャラクター等のように、何らかの具体的な外形を有する形状とすることも可能である。
【００２５】
さらに、本考案では、図１に示すシート材２の側部の辺に半円形の凹部５ａと、その辺の端部付近に湾曲形状の凹部５ｂを形成している。また、図２(ａ)、(ｂ)に示すように、シート材２の中央の折曲線６に沿って左右のシート面２ａ、２ｂを折り合わせると共に、折り合わせたシート材２の側縁の一部として、底部に相当する短辺側７に沿って結合部３を熱溶着等によって形成する。このような構成によって、結合部３を設けていない開放部８から書類等の収納物を収納可能にしたファイル１が形成されることになる。
【００２６】
本実施例においては、上記のように形成されたファイル１に、後述する見出し部９ａ、９ｂ、９ｃを形成した構成としてあり、その見出し部９ａ、９ｂ、９ｃの形態によって、以下の実施例１と実施例２、さらには後述する実施例３に区別される。
【００２７】
なお、図１及び図２（ａ）、(ｂ)には、説明の便宜上、実施例１の見出し部９ａと実施例２の見出し部９ｂを兼用した構成としてあるが、このように１個のファイル１に実施例１の見出し部９ａと実施例２の見出し部９ｂ、さらに、図１１に示す実施例３の見出し部９ｃを形成することも可能である。また、１個のファイル１に夫々の実施例の見出し部９ａ、９ｂ又は９ｃを単独で形成することも可能である。
【００２８】
また、図２(ｂ)において、折曲線６の対向側の長辺にも熱溶着等による結合部（不図示）を形成することによって、図２(ｂ)の上方のみが開放した袋状のファイルを構成することも可能であるが、そのような構成のファイルであっても、本考案による見出し部９ａ、９ｂ、９ｃは形成可能である。
【実施例１】
【００２９】
本実施例の見出し部９ａは、図１又は図２に示す側辺側に設けた切開形状１０ａが相当する。なお、この見出し部９ａは、左右のシート面２ａ、２ｂを展開したシート材２の上辺側に形成してもよいし、側辺側と上辺側のいずれに形成してもよい。
【００３０】
以下、本実施例の見出し部９ａについて詳細に述べると、図３(ａ)に示すように、ファイル１の側縁の近傍に非切開部１１を残した状態で、この非切開部１１からファイル１の面内に所定形状の線形（切開形状１０ａ）を切開してなる見出し部９ａを形成する。
【００３１】
このような構成により、図３(ｂ)に示すように、見出し部９ａを起立して非切開部１１で折り返すことにより、見出し部９ａをファイル１の側縁１２から外方へ突出させることによって見出し機能を発揮することが可能となる。また、このような見出し部９ａを非切開部１１で折り返して、この非切開部１１に折り目１３を形成することにより、見出し部９ａを上方へ折り返した状態を一定に保持することが可能となる。また、見出し部９ａが不要な場合、上方へ折り返した見出し部９ａをファイル１の面内側に折り下げ、ファイル１の面内の切り抜かれた部位１４に見出し部９ａを嵌合することによって、元の状態に復帰させることが可能となる。
【００３２】
なお、図１、図２、図３、図４及び図５において、見出し部９ａの外形は、長方形の各角部を湾曲した形状にしてあるが、他にも種々の形状とすることが可能である。なお、そのような見出し部の形状や見出し部の使用形態は、下記の実施例２で詳細に説明する。
【００３３】
また、本実施例において、上記のように、ファイル１の面内に所定の線形（切開形状１０ａ）を切開してなる見出し部９ａを形成する際、切開すべき線形（切開形状１０ａ）の一部に微小の切開しない接続部１５を残した状態で切開するようにしてもよい。このような構成とすることにより、見出し部９ａを接続部１５でファイル１の面内に固定した状態を保つことが可能である。また、接続部１５を手作業等で切り離すことによって、上記のように、見出し部９ａを上方へ折り返すことが可能となる。
【実施例２】
【００３４】
本実施例の見出し部９ｂは、図１又は図２に示すように左右のシート面２ａ、２ｂを展開したシート材２の上辺側に設けた切開形状１０ｂが相当する。なお、この見出し部９ｂは、展開したシート材２の側辺側に形成してもよいし、上辺側と側辺側のいずれに形成してもよい。
【００３５】
以下、本実施例の見出し部９ｂについて詳細に述べると、図４(ａ)に示すように、ファイル１の側縁の近傍に非切開部１１を残した状態で、非切開部１１からファイル１の例えばシート面２ｂの面内に所定形状の線形（切開形状１０ｂ）を切開してなる見出し部９ｂを形成する。また、ファイル１の側縁の近傍に非切開部１１を残した状態で、非切開部１１からファイル１の面内に所定の線形（切開形状１０ｂ）を切開してなる見出し部９ｂを形成する際、非切開部１１の近傍に形成した左右の差込幅部１１ａ、１１ｂを介してファイル１の側縁側に突出してなる係止片１６ａ、１６ｂを形成する。なお、本実施例において、係止片１６ａ、１６ｂは、非切開部１１の両側に形成してあるが、見出し部９ｂの形状に応じて、片側に形成するようにしてもよい。
【００３６】
このような構成により、図４(ｂ)に示すように、見出し部９ｂを起立して非切開部１１で折り返した際、非切開部１１に折り目１３を形成することによって、見出し部９ｂを上方へ折り返した状態を一定に保持することが可能となる。また、このとき、図４(ｃ)に示すように、ファイル１の面内方向へ向く係止片（例えば、片側の係止片１６ａ）を対面する他方のシート面２ａの側縁１２に引っ掛けた状態にする。次に、図４(ｄ)に示すように、他側の係止片１６ｂをシート面２ａの側縁１２に引っ掛けた状態で、見出し部９ｂをファイル１の側縁１２から外方へ突出させることによって、見出し機能を発揮することが可能となる。なお、上記のように、見出し部９ｂの両側の係止片１６ａ、１６ｂを他方のシート面２ａの側縁１２に引っ掛ける際に、左右の差込幅部１１ａ、１１ｂが差込み口として機能する。
【００３７】
また、本実施例の場合、見出し部９ｂを上方へ折り返した場合、上記のように係止部１６ａ、１６ｂによって、他方のシート面２ａの側縁１２に引っ掛けた状態にすることが可能となる。このため、ファイル１の両面を閉じた状態を固定状態にすることが可能となり、また、見出し部９ｂを上方へ折り返した状態を一定の起立状態に保持することが可能となる。また、このような係止方法により形成された見出し部９ｂは、該見出し部９ｂが形成された側の開放部から書類等の収納物が抜け落ちることを防止するためのストッパーとしても機能する。
【００３８】
なお、本実施例においても、実施例１で説明したように、見出し部９ｂが不要な場合、上方へ折り返した見出し部９ｂをファイル１の面内側に折り下げ、ファイル１の面内の切り抜かれた部位１４に見出し部９ｂを嵌合することによって元の状態に復帰させることが可能となる。
【００３９】
また、見出し部９ｂをファイル１の側縁１２から外方へ突出させる際、シート面２ｂの内側又は外側のいずれの側からも見出し部９ｂを起立して非切開部１１で折り返すことが可能となる。
【００４０】
また、本実施例においては、ファイル１の面内方向へ向く係止片１６ａ、１６ｂを対面する他方のシート面２ａの側縁１２に引っ掛けた状態にしてあるが、図５(ｂ)に示すように、見出し部９ｂを形成した側のシート面２ｂの側縁１２に係止片１６ａ、１６ｂを引っ掛けた状態としてもよい。なお、このように見出し部９ｂをファイル１の側縁１２から外方へ突出させる際、図５(ｃ)に示すように、シート面２ｂの内側から起立させるか、又は図５(ｄ)に示すように、シート面２ｂの外側から見出し部９ｂを起立した状態として係止片１６ａ、１６ｂをシート面２ｂの側縁１２に引っ掛けるようにしても良い。このような構成は、ファイル１の両面を閉じた状態で固定するものではないが、見出し部９ｂを上方へ折り返した起立状態を一定に保持することが可能となり、またファイル１内へ収納物を出し入れする作業を容易に行うことが可能となる。
【００４１】
次に、図６〜図１０に示す見出し部９ｂの各種形態及び使用方法について述べる。なお、図６〜図１０に示す見出し部９ｂは、実施例２の形態によるものであって、係止部１６ａ、１６ｂを備えるものであるが、この係止部１６ａ、１６ｂを設けない形態が実施例１に相当するものとなる。また、実施例1及び実施例２の見出し部９ａ、９ｂは、その面にファイル１に収納する書類等の内容を識別することができるように、鉛筆やマジックインキのような筆記具によって文字等が書ける非透明のインクを塗布する等の加工を施すとよい。
【００４２】
図６(ａ)に示す複数の見出し部９ｂは、各角部を湾曲させた長方形状の切開形状１０ｂによって切開し、ファイル１の上辺に、例として３個だけ形成したものである。これらの見出し部９ｂは、３個とも異なる着色にしてあり、ファイル１に収納する書類の進捗状況や緊急度合いに応じて、図６(ｂ)に示すように、所定の着色の見出し部９ｂを折り返して上方に表示させることが可能である。このようにすることにより、机上等に立てかけたファイル１に表示された見出し部９ｂの着色を見るだけで、ファイル１内に収納した書類の進捗状況や緊急度合いを知ることが可能となる。
【００４３】
なお、図６（ａ）、(ｂ)に示す見出し部９ｂは、着色によって区別をしてあるが、円形、四角形、三角形、星形のような異なる形状で区別をするようにしてもよい。
【００４４】
また、図７（ａ）〜(ｃ)に示すように、ファイル１に料理のレシピに関する書類１７を収納する場合、例えば、図７(ａ)に示すように、タマゴを表した見出し部９ｄを設けたファイル１には、オムレツ等のようにタマゴを材料とするレシピに関する書類１７を収納する。また、図７(ｂ)に示すように、トマトを表した見出し部９ｄを設けたファイル１には、トマト煮等のようにトマトを材料とするレシピに関する書類１７を収納する。
【００４５】
さらに、図７(ｃ)に示すように、魚を表した見出し部９ｄを設けたファイル１には、白身魚のソテー等のように魚を材料とするレシピに関する書類１７を収納する。このように、レシピに応じてファイル１の見出し部９ｂを使い分けるようにすると、ファイル１の上部に表示された見出し部９ｂを見ただけで、ファイル１に収納されているレシピに関する書類１７の内容を識別することが可能となる。
【００４６】
また、図８（ａ）に示す家屋を簡略化した形状、図８(ｂ)に示すクマの形状、図８(ｃ)に示すグローブの形状等のように、見出し部９ｂを各種多様な形状とすることによって、広範囲な用途に対応したファイルを構成することが可能となる。さらに、例えば、流行しているアニメーションやファッション、人気のあるタレントやスポーツマン等の画像を見出し部９ｂに表すことによって、遊び心のある娯楽性に富んだファイルを利便に使用することが可能となる。
【００４７】
また、図９(ａ)に示すように、例えば樹木を表した見出し部９ｂをファイル１に設け、図９（ａ）〜(ｄ)に示すように、この見出し部９ｂを設ける位置を様々に変えた形態のファイル１を形成する。そして、このような図９（ａ）〜(ｄ)に示す各ファイル１内に処理すべき仕事に関する書類等を収納して机上等に並べておくと、図９(ｅ)に示すように、各見出し部９ｂの数量によって樹木が生い茂るような状態となり、処理が完了した仕事に関するファイル１から順に、起立状態に折り返していた見出し部９ｂを元の状態に戻すようにすれば、未処理の仕事の溜まり具合を一目で知ることが可能となる。
【００４８】
さらに、例えば、図１０(ａ)に示す「緊急！期限明日」、図１０(ｂ)に示す「期限１週間」、図１０(ｃ)に示す「期限１カ月」というように、処理すべき仕事の期限又は期限までの残りの期間を表示する見出し部９ｂの位置を変えた複数のファイル１を形成する。そして、処理すべき仕事の期限に応じて、図１０（ａ）〜図１０(ｃ)に示すファイル１に該当する書類を収納し、各書類を机上等に並べておくことにより、図１０(ｄ)に示すように、一目で各ファイル１に収納された仕事の緊急度合いを識別することが可能となる。
【００４９】
また、例えば、不図示であるが、「期限１ヶ月前」、「期眼１週間前」、「期限１日前」等の複数の見出し部を１つのファイルに形成することも可能である。このような見出し部によれば、期限までの残りの期間が変動した際、起立状態に折り返していた見出し部を元の状態に戻し、新しい見出し部を折り返して起立させるだけで、ファイルに収納してある仕事内容とそのファイルの見出し部に表示されている残り期間とを対応させることが可能であるため、ファイルの中身を逐次他のファイルに移し替える手間を省くことができる。さらに、上記の見出し部の構成は、入学試験や資格試験等の各種試験勉強においても応用でき、試験日の１ヶ月前までに学習すべき内容、直前に学習すべき内容等を分類することで、スケジュールに応じた漏れのない学習を行うことが可能となる。
【実施例３】
【００５０】
本実施例は、上記の実施例２の構成をより簡易にしたものである。即ち、本実施例においても、図１に示すように、左右のシート面２ａ、２ｂの中央の折曲線６で折り曲げ可能なシート材２を折り合わせてなる側縁の一部を結合して残余の開放部から書類等の収納物を収納可能にしたファイル１を構成することが可能である。
【００５１】
また、図１１(ａ)に示すように、ファイル１の側縁の近傍に非切開部１１を残した状態で、非切開部１１からファイル１の面内に所定形状の線形（切開形状１０ｃ）を切開してなる見出し部９ｃを形成すると共に、非切開部１１の近傍にファイル１の側縁側に突出してなる係止片１６ａ、１６ｂを形成する。
【００５２】
ただし、本実施例においては、図１１(ａ)に示す見出し部９ｃを形成する際、非切開部１１の左右の近傍に形成した切込み線１８ａ、１８ｂを介してファイル１の側縁側に突出してなる係止片１６ａ、１６ｂを形成する。この切込み線１８ａ、１８ｂは、実施例２の左右の差込幅部１１ａ、１１ｂに相当するものであるが、差込幅部１１ａ、１１ｂが幅を有して切り込まれているのに対して、本実施例の切込み線１８ａ、１８ｂは、直線状の切込みで形成した簡易な構成としている。
【００５３】
このような構成により、図１１(ｂ)に示すように、見出し部９ｃを起立して非切開部１１で折り返して、折り目１３を形成することにより、見出し部９ｂを上方へ折り返した状態を一定に保持することが可能となる。また、図１１(ｃ)に示すように、ファイル１の面内方向へ向く係止片（例えば、片側の係止片１６ａ）を対面するシート面２ａの側縁１２に引っ掛けた状態にする。この際、見出し部９ｃの右方の係止片１６ａを他方のシート面２ａの側縁１２に引っ掛ける際、右方の切込み線１８ａが差込み口として機能する。次に、図１１(ｄ)に示すように、左方の切込み線１８ｂを差込み口として機能させることにより、係止片１６ｂをシート面２ａの側縁１２に引っ掛けることができ、見出し部９ｃをファイル１の側縁１２から外方へ突出させることによって、見出し機能を発揮させることが可能となる。
【００５４】
なお、本実施例においても、シート面２ｂの内側から見出し部９ｃを起立させるか、又はシート面２ｂの外側から見出し部９ｃを起立させることが可能である。さらに、図１１(ｃ)又は(ｄ)に示すように、ファイル１の面内方向へ向く係止片１６ａ、１６ｂを対面する他方のシート面２ａの側縁１２に引っ掛けた状態にするか、又は図１１(ｅ)又は(ｆ)に示すように、見出し部９ｃを形成した側のシート面２ｂの側縁１２に係止片１６ａ、１６ｂを引っ掛けた状態にしてもよい。
【００５５】
本実施例の見出し部９ｃの場合もまた、上記の実施例２で説明したように、鉛筆、ボールペンその他の筆記具によって文字等を直接記入することができるように、見出し部９ｃの面に鉛筆やマジックインキのような筆記具によって文字等が書ける非透明のインクを塗布するようにしてもよい。また、見出し部９ｃを、野菜、果実その他の食料品の形状に形成し、見出し部に野菜、果実その他の食料品の写真又は図形を表すことによって、食材ごとに料理のレシピを一目で判別できるようにしてもよい。さらに、見出し部に、漫画やアニメーションのキャラクターの形状や画像を表したり、仕事の期限や試験日までの期間を表す等によって、多様な利用方法が可能となる。
【産業上の利用可能性】
【００５６】
本考案の見出し機能付きファイルは、ファイルに設ける見出しを簡単な構造で形成し、この見出しを必要に応じてファイル内に収納したり、ファイルの外方へ表示可能にして、見出し自体の意匠性や利便性を向上し、且つ製造コストも安価にすることができるようにした見出し機能付きファイルとして利用可能である。
【符号の説明】
【００５７】
１  ファイル
２  シート材
２ａ、２ｂ  シート面
３  結合部
４  開放部
５ａ  半円形の凹部
５ｂ  湾曲形状の凹部
６  折曲線
７  短辺側
８  開放部
９ａ、９ｂ、９ｃ  見出し部
１０ａ、１０ｂ、１０ｃ  切開形状
１1  非切開部
１１ａ、１１ｂ  差込幅部
１２  側縁
１３  折り目
１４  切り抜かれた部位
１５  接続部
１６ａ、１６ｂ  係止片
１７  レシピに関する書類
１８ａ、１８ｂ  切込み線
【図１】
0003188159.tif 000003
【図２】
0003188159.tif 000004
【図３】
0003188159.tif 000005
【図４】
0003188159.tif 000006
【図５】
0003188159.tif 000007
【図６】
0003188159.tif 000008
【図７】
0003188159.tif 000009
【図８】
0003188159.tif 000010
【図９】
0003188159.tif 000011
【図１０】
0003188159.tif 000012
【図１１】
0003188159.tif 000013